(57)【要約】【課題】従来の使い捨てベッド用蓄尿袋には、チューブを挿入するための密閉性の無い開口部分があり、当該開口部分より尿の臭いが室内などの空間に拡散してしまう課題、移動時または交換時などに、当該開口部分より尿が溢れ出てしまう課題があるとともに、蓄尿した尿を廃棄するために、ハサミまたはカッターなどでカットして廃棄用の開口部を形成しなければならない課題がある。【解決手段】チューブの挿入部分に入口を設け、尿の臭いの拡散と蓄尿している尿が溢れ出ることを防止すると共に、蓄尿されている尿の廃棄時にハサミやカッターなどを使用せずに廃棄出来るように、廃棄用の開口部を形成するための切れ込み（ノッチ）を設ける。【選択図】図１
2016000181.tif 000002
【特許請求の範囲】
【請求項１】
本発明の蓄尿袋を吊り下げて使用するための棒状又は紐状の物を部分及び蓄尿用チューブを差し込むための導入口の本体と、蓄尿した尿を蓄尿袋本体をカットして廃棄用の開口部を形成するための切れ込み（ノッチ）部分を有し、当該導入口の本体に蓄尿用チューブを挿し込んで使用することにより、蓄尿時の尿の臭いの拡散と尿が溢れでてしまう及び漏れてしまう事を防止するとともに、切れ込み（ノッチ）にて蓄尿した尿の廃棄時に廃棄用の開口部を形成できることを特徴とした使い捨て蓄尿袋。
【発明の詳細な説明】
【技術分野】
【０００１】本発明は、ベッドにて蓄尿する場合に使用する使い捨て蓄尿袋のチューブの挿入部分から、尿の臭いの拡散と蓄尿袋に蓄尿されている状態で蓄尿袋の移動時又は交換時に尿が溢れ出てしまうことの防止と共に、切れ込み（ノッチ）にて廃棄用の開口部を形成して蓄尿した尿の廃棄をする事に関する。
【背景技術】
【０００２】従来の使い捨てベッド用蓄尿袋には、チューブを挿入するための密閉性の無い開口部分があり、当該開口部分にチューブを挿入して使用するため、当該開口部分から液体や気体などが出入りしてしまい、尿の臭いが室内などの空間に拡散してしまうと共に、蓄尿している状態で移動時又は交換時などに、当該開口部分より尿が溢れ出てしまう問題と蓄尿した尿の廃棄をする場合に、ハサミ又はカッターなどで蓄尿袋をカットして廃棄用の開口部を形成しなければならない課題を解決する使い捨てベッド用蓄尿袋は無かった。【０００３】実用新案公開平６−７７７１３などに見られる排尿の流れを確実にすると共に逆流を完全に防止する逆止め弁を備えた蓄尿袋を使う場合には、蓄尿時に何らかの方法で下部に設置されている排出口を完全に閉じる必要があり、また排尿時に完全に閉じてある排出口を何らかの方法で廃棄用の開口部を形成しなければならない課題があると共に、ベッドなどでの使用時にはベッドサイドに吊り下げる又は取り付ける必要があるが、吊り下げる又は取り付けるための機能が無い課題もある。
【先行技術文献】
【特許文献】
【０００４】
【特許文献１】実用新案公開平６−７７７１３
【発明の概要】
【発明が解決しようとする課題】
【０００５】従来の使い捨てベッド用蓄尿袋には、チューブを挿入するための密閉性の無い開口部分があり、その部分にチューブを挿入して使用しているため、当該開口部分から液体や気体などが出入りしてしまう状態のため、尿の臭いが室内などの空間に拡散してしまう課題。【０００６】従来の使い捨てベッド用蓄尿袋には、チューブを挿入するための密閉性の無い開口部分があり、移動時又は交換時などに、当該開口部分から尿が溢れ出てしまう課題。【０００７】従来の使い捨てベッド用蓄尿袋は、蓄尿した尿の廃棄をするために、蓄尿袋をハサミまたはカッターなどでカットして廃棄用の開口部を形成しなければならない課題。
【課題を解決するための手段】
【０００８】本発明の蓄尿袋を吊り下げ機具９に吊り下げる又は取り付ける為の棒状又は紐状の物を通す部分８及び導入口の本体４を設けると共に蓄尿した尿を蓄尿袋本体をカットして廃棄用の開口部を形成するための切れ込み（ノッチ）部分１を有し、当該導入口の本体に蓄尿用チューブを差し込んで使用することにより、蓄尿時の尿の臭いの拡散と尿が溢れでてしまう及び漏れてしまう事を防止するとともに、切れ込み（ノッチ）部分１にて蓄尿した尿の廃棄時に廃棄用の開口部を形成する。
【発明の効果】
【０００９】本発明の使い捨て蓄尿袋を使用することにより、従来の使い捨てベッド用蓄尿袋のチューブ挿入部分より拡散される尿の臭いの課題を解決すると共に、移動時又は交換時などに蓄尿されている尿がチューブ挿入部分より溢れ出てしまう課題を解決し、かつ蓄尿した尿の廃棄時に、蓄尿袋をハサミまたはカッターなどでカットして廃棄用の開口部を形成し、廃棄しなくてはならない課題を解決できる。
【図面の簡単な説明】
【００１０】
【図１】本発明の各部所の説明図である。
【図２】本発明をベッドに装着した図である。
【図３】図２に示す装着した部分拡大図である。
【発明を実施するための形態】
【００１１】本発明の使い捨て蓄尿袋を使用する時は、棒状又は紐状の物を通す部分８の内側に、吊り下げ取り付け機具９の棒状又は紐状の部分を通して、当該吊り下げ取り付け機具に装着してからベッドに装着し、排尿処理に使用するチューブを図３のように、導入口の先端部分５より、導入口末端部分６が２ｃｍから４ｃｍ程度残るように挿しこみ、排尿が蓄尿袋本体７に導入口の本体４を通して蓄尿することにより、排尿されている時以外は、導入口の末端部分６の内側を尿が通過したことによって密着状態になり、その状態を保つことにより逆止め作用が生じて、尿の臭いの拡散を防止すると共に尿が溢れ出ることを防ぎ、使用後には、上部にある切れ込み（ノッチ）部分１の左右どちらかを、下部方向に引張ることにより、蓄尿袋本体７をカットして廃棄用の開口部を形成することができ、蓄尿されている尿を廃棄できる。
【００１２】蓄尿袋本体７の大きさとしては、縦３００ｍｍから４００ｍｍ、横２５０ｍｍから３５０ｍｍまでの範囲が好ましく、基材の厚みとしては、０．０３ｍｍから０．１５ｍｍまでの範囲が好ましい。
【００１３】蓄尿袋本体７には、蓄尿量を計るための目盛りの印刷加工をしてあってもよい。
【００１４】導入口の本体４の大きさとしては、縦８０ｍｍから１６０ｍｍ、横２０ｍｍから４０ｍｍまでの範囲が好ましく、基材の厚みとしては０．０２ｍｍから０．１０ｍｍまでの範囲が好ましい。
【００１５】導入口の本体４の取り付け位置は、蓄尿袋本体７の上方向の肩部分に、５度から４５度までの範囲で斜めに取り付けるのが好ましい。
【００１６】切れ込み（ノッチ）部分１の切れ込みの長さは、縦方向に２ｍｍから１０ｍｍまの範囲が好ましく、形状としては一文字型状、Ｖ型形状、Ｕ型形状などの形状が好ましい。
【００１７】棒状又は紐状の物を通す部分８の基材は、プラスチックフィルム及びポリオレフィン系樹脂で特に限定するものではなく、低密度ポリエチレン（ＬＤＰＥ）、リニア低密度ポリエチレン（ＬＬＤＰＥ）、高密度ポリエチレン（ＨＤＰＥ）、インフレーションポリプロピレン（ＩＰＰ）、キャストポリプロピレン（ＣＰＰ）、オリエンテッドポリプロピレン（ＯＰＰ）、ナイロンフィルム（ＯＮ、ＰＡ）、ＰＥＴフィルム（ＰＥＴ）などからなる単層フィルムまたは多層フィルムを２枚重ね合わせて形成する。
【００１８】蓄尿袋の本体部分７の基材は、プラスチックフィルム及びポリオレフィン系樹脂で特に限定するものではなく、低密度ポリエチレン（ＬＤＰＥ）、リニア低密度ポリエチレン（ＬＬＤＰＥ）、高密度ポリエチレン（ＨＤＰＥ）、インフレーションポリプロピレン（ＩＰＰ）、キャストポリプロピレン（ＣＰＰ）、オリエンテッドポリプロピレン（ＯＰＰ）、ナイロンフィルム（ＯＮ、ＰＡ）、ＰＥＴフィルム（ＰＥＴ）などからなる単層フィルムまたは多層フィルムでチューブ形状またはフィルム形状より形成する。
【００１９】導入口の本体４の基材は、柔軟な薄いゴム又はプラスチックフィルム及びポリオレフィン系樹脂で特に限定するものではなく、低密度ポリエチレン（ＬＤＰＥ）、リニア低密度ポリエチレン（ＬＬＤＰＥ）、高密度ポリエチレン（ＨＤＰＥ）、インフレーションポリプロピレン（ＩＰＰ）、キャストポリプロピレン（ＣＰＰ）、オリエンテッドポリプロピレン（ＯＰＰ）、ナイロンフィルム（ＯＮ、ＰＡ）、ＰＥＴフィルム（ＰＥＴ）などからなる単層フィルムまたは多層フィルムを２枚重ね合わせて形成する。
【符号の説明】
【００２０】  １  切れ込み（ノッチ）部分
２  中間部ヒートシール部分
３  導入口固定用ヒートシール部分
４  導入口の本体
５  導入口の先端部分
６  導入口の末端部分
７  蓄尿袋本体
８  棒状又は紐状の物を通す部分
９  吊り下げ取り付け機具
１０  チューブ
【図１】
2016000181.tif 000003
【図２】
2016000181.tif 000004
【図３】
2016000181.tif 000005